(57)【要約】【課題】  広範囲にわたって振動によるモグラ忌避効果が確実に得られ、メンテナンスが容易であって、長期間安定的に使用することが可能なモグラ撃退装置を提供する。【解決手段】  モグラ撃退装置1は、電源25として太陽光発電装置251および蓄電器252を備えた動電型振動発生装置2よりなる１つの振動発生ユニットと、互いに間隔をおいて地面に突き立てられる複数本の金属製杭31A,31Bおよび全ての杭が１つに繋がるように杭の地上部どうしを連結する金属製連結棒32を有する振動伝達ユニット3とを備える。振動発生ユニット2は、振動伝達ユニット3のいずれかの杭の地上部に加振可能に接続される。【選択図】  図１
2011172487.tif 000002
【特許請求の範囲】
【請求項１】
少なくとも１つの振動発生ユニット（２）と、互いに間隔をおいて地面に突き立てられる複数本の金属製杭（３１Ａ）（３１Ｂ）および全ての杭（３１Ａ）（３１Ｂ）が１つに繋がるように杭（３１Ａ）（３１Ｂ）の地上部どうしを連結する金属製連結棒（３２）を有する振動伝達ユニット（３）とを備え、振動発生ユニット（２）は、振動伝達ユニット（３）のいずれかの杭（３１Ａ）（３１Ｂ）の地上部または連結棒（３２）に加振可能に接続されていることを特徴とする、モグラ撃退装置。
【請求項２】
各杭（３１Ａ）（３１Ｂ）の地上部に、連結棒接続部（３１１）（３１２）が設けられていることを特徴とする、請求項１記載のモグラ撃退装置。
【請求項３】
複数本の杭が、連結棒（３２）を第１の水平方向に接続しうる第１の連結棒接続部（３１１）を有する第１の杭（３１Ａ）、および、連結棒（３２）を第１の水平方向に接続しうる第１の連結棒接続部（３１１）を有するとともに連結棒（３２）を第１の水平方向と直交する第２の水平方向に接続しうる第２の連結棒接続部（３１２）を有する第２の杭（３１Ｂ）の中から選択されることを特徴とする、請求項２記載のモグラ撃退装置。
【請求項４】
連結棒接続部（３１１）（３１２）が、杭（３１Ａ）（３１Ｂ）の地上部に水平に固定されかつ連結棒（３２）が嵌め入れられる金属製筒体よりなることを特徴とする、請求項２または３記載のモグラ撃退装置。
【請求項５】
各杭（３１Ａ）（３１Ｂ）は、地面に斜めに突き立てられるように構成されていることを特徴とする、請求項１〜４のいずれか１つに記載のモグラ撃退装置。
【請求項６】
振動発生ユニット（２）が、電磁加振器（２１）、電力増幅器（２２）、発振器（２３）および電源（２５）を備えた動電型振動発生装置よりなることを特徴とする、請求項１〜５のいずれか１つに記載のモグラ撃退装置。
【請求項７】
動電型振動発生装置（２）が、電源（２５）として、太陽光発電装置（２５１）および太陽光発電装置（２５１）によって得られた電気エネルギーを蓄える蓄電器（２５２）を備えていることを特徴とする、請求項６記載のモグラ撃退装置。
【請求項８】
動電型振動発生装置（２）が、さらに、タイマー機能付き周波数可変式コントローラ（２４）を備えていることを特徴とする、請求項６または７記載のモグラ撃退装置。
【請求項９】
電磁加振器（２１）の振動板（２１１）表面側に、一端部が杭（３１Ａ）（３１Ｂ）の地上部に接続された金属製連結棒（３２Ｘ）の他端部を接続しうる連結棒接続部（２１２Ａ）（２１２Ｂ）が設けられていることを特徴とする、請求項６〜８のいずれか１つに記載のモグラ撃退装置。
【請求項１０】
連結棒接続部（２１２Ａ）（２１２Ｂ）が、一端面または周面が電磁加振器（２１）の振動板（２１１）表面側に固定されかつ連結棒（３２Ｘ）の他端部が嵌め入れられる金属製筒体よりなることを特徴とする、請求項９記載のモグラ撃退装置。
【請求項１１】
電磁加振器（２１）に、地面に突き立てられる杭（２１３）の上端部が取り付けられていることを特徴とする、請求項６〜１０のいずれか１つに記載のモグラ撃退装置。
【発明の詳細な説明】
【技術分野】
【０００１】
本発明は、畑等において、モグラを追い払ったり近付けないようにする目的で用いられるモグラ撃退装置に関する。
【背景技術】
【０００２】
モグラは、餌となるミミズや幼虫を求めて畑等に侵入するが、巣穴（坑道）が掘り広げられることによって、植物の苗が根付かなかったり、植物の根が切られたり、さらには、巣穴に侵入した野ネズミが地中の根菜類を食べ荒らす等の深刻な被害が生じる。
【０００３】
そこで、従来より、モグラを畑から追い出したり近付けないようにするための手段が幾つか提案されており、その１つは、モグラが嫌う臭気を発生させる忌避剤を使用するものである（例えば、下記の特許文献１参照）。
しかしながら、このような忌避剤は、効果の持続性の面で十分とは言えず、広範囲に亘って継続的にモグラ忌避効果を得るためには多量の忌避剤が必要となる上、有機栽培を行う畑等にあっては使用を敬遠される傾向にあった。
【０００４】
もう１つの手段は、振動に対して極度に敏感なモグラの特性を利用したものであって、振動モータ等の振動発生装置と電池とを内蔵した杭よりなり、地面に突き立てて使用するモグラ撃退装置である（例えば、下記の特許文献２参照）。
しかしながら、上記装置の場合、振動による忌避効果の及ぶ範囲が限られている上、頻繁に電池交換を行う必要があるため、メンテナンスが大変であり、長期に亘って継続的に使用するのが困難であるという問題があった。
【特許文献１】特開平６−１７０５号公報
【特許文献２】米国特許第６１５７５９４号明細書
【発明の開示】
【０００５】
本発明の目的は、広い範囲にわたって振動によるモグラ忌避効果が確実に得られるモグラ撃退装置を提供することにある。
また、本発明のもう１つの目的は、メンテナンスが容易であって、長期に亘って継続的に使用することが可能なモグラ撃退装置を提供することにある。
【０００６】
本発明によるモグラ撃退装置は、少なくとも１つの振動発生ユニットと、互いに間隔をおいて地面に突き立てられる複数本の金属製杭および全ての杭が１つに繋がるように杭の地上部どうしを連結する金属製連結棒を有する振動伝達ユニットとを備え、振動発生ユニットは、振動伝達ユニットのいずれかの杭の地上部または連結棒に加振可能に接続されているものである。
【０００７】
本発明のモグラ撃退装置によれば、振動発生ユニットで発生させた振動が複数本の杭および連結棒を有する振動伝達ユニットを介して地中に伝わるため、広範囲に亘ってモグラ忌避効果が確実に得られる。
従って、本発明は、とりわけ、有機栽培を行う比較的大規模な畑等において好適に使用することができる。もっとも、本発明のモグラ撃退装置の場合、振動伝達ユニットを構成する杭および連結棒の本数を適宜増減することで、様々なサイズの畑等に容易に適用することが可能である。
【０００８】
本発明によるモグラ撃退装置において、各杭の地上部に、連結棒接続部が設けられている場合がある。
【０００９】
上記の場合、杭の地上部と連結棒とを接続するための接続部材を別途用意する必要がなくなるので、部品点数が少なくてすみ、振動伝達ユニットの組立作業も容易となる。
連結棒接続部は、地上部であれば杭のどの高さ位置にあっても良いが、通常、杭の上端部に設けられる。
【００１０】
地上部に連結棒接続部を設ける場合の杭は、例えば、連結棒を第１の水平方向に接続しうる第１の連結棒接続部を有する第１の杭（図４（ａ）参照）と、連結棒を第１の水平方向に接続しうる第１の連結棒接続部を有するとともに連結棒を第１の水平方向と直交する第２の水平方向に接続しうる第２の連結棒接続部を有する第２の杭（図４）の中から選択して構成することができる。
【００１１】
以上のような２種類の杭があれば、例えば、畑における畝の数や配置等に応じて杭を適宜の箇所に突き立てるとともに、これらの杭を、連結棒を介して縦、横または縦横に自由に連結することが可能となるので、使い勝手がよい。
【００１２】
杭に設けられる連結棒接続部（第１の連結棒接続部および第２の連結棒接続部を含む）は、例えば、杭の地上部に水平に固定されかつ連結棒が嵌め入れられる金属製筒体によって構成される。
【００１３】
上記のような金属製筒体によって連結棒接続部を構成すれば、その製造が容易である上、コストも抑えられる。
連結棒接続部には、通常、連結棒の端部が嵌め入れられるが、杭の設置箇所によっては、連結棒の長さ中間部が貫通状に嵌め入れられる場合もある。
連結棒を固定する手段は、特に限定されないが、例えば、連結棒接続部を構成する筒体の周壁（好ましくは、雨が侵入し難い周壁下部）に１つまたは複数のネジ孔をあけ、同ネジ孔にねじ込んだ止めネジによって、連結棒を連結棒接続部に固定することができる。
【００１４】
本発明によるモグラ撃退装置において、各杭が、地面に斜めに突き立てられるように構成されている場合がある。
【００１５】
例えば、畑においては、植物の苗等の傍に杭を突き立てることにより、モグラによる被害を効果的に抑制することができる。しかしながら、各杭が地面に垂直に突き立てられるように構成されていると、苗に接近しすぎるため、水やり、施肥、除草等の農作業の邪魔になるおそれがある。これに対して、上記のように各杭が地面に斜めに突き立てられるように構成されていれば、苗のすぐ傍らの地面に突き立てることができる上、農作業の邪魔になるおそれがない。
杭を地面に斜めに突き立てられるようにする具体的構成としては、例えば、杭の地上部に、連結棒接続部を、杭の長さ方向に対して斜めになるように設けるようにすればよい。
【００１６】
杭、連結棒、さらには連結棒接続部を構成する筒体の材料は、金属であれば特に限定されないが、好適には、振動伝達性に優れた鉄が用いられる。
杭および連結棒は、中実棒または中空棒のいずれであっても良いが、軽量化および材料コストの面から言えば、中空棒が好適に用いられる。
杭の先端部は、通常、地面に突き刺し易いように先細状に加工される。
【００１７】
本発明によるモグラ撃退装置において、振動発生ユニットは、好適には、電磁加振器、電力増幅器、発振器および電源を備えた動電型振動発生装置によって構成される。
【００１８】
振動発生ユニットとして上記のような動電型振動発生装置を使用すれば、長期間に亘って所望の振動を安定的に発生させることが可能であり、ひいては、振動によるモグラ忌避効果が長期間に亘って確実に得られる。
【００１９】
動電型振動発生装置の電源は特に限定されないが、好適には、太陽光発電装置および太陽光発電装置によって得られた電気エネルギーを蓄える蓄電器が用いられる。
【００２０】
動電型振動発生装置の電源として上記のような太陽光発電装置および蓄電器を使用すれば、例えば、商用電源の確保が困難な畑等においても、電池交換のような面倒なメンテナンスを伴うことなく、比較的低コストで継続的に本装置を駆動させることが可能となる。
【００２１】
本発明によるモグラ撃退装置において、動電型振動発生装置が、さらに、タイマー機能付き周波数可変式コントローラを備えているのが好ましい。
【００２２】
上記のようなコントローラが付加されることで、断続的に信号を出したり止めたりすることができるので、それによって省電力化が図られる。また、一定の周波数の振動が続くと、モグラがそれに慣れてしまい、モグラ忌避効果が減退するおそれがあるが、タイマー機能付き周波数可変式コントローラによって、発振器から出力する信号電流の周波数を例えば１週間程度の間隔で大幅に変更するように設定すれば、上記の問題を確実に回避することができる。
【００２３】
本発明によるモグラ撃退装置において、電磁加振器の振動板表面側に、一端部が杭の地上部に接続された金属製連結棒の他端部を接続しうる連結棒接続部が設けられている場合がある。
【００２４】
電磁加振器に上記のような連結棒接続部が設けられていれば、電磁加振器の振動板と杭の地上部とを、金属製連結棒を介して、簡単かつ確実に接続することができる。
【００２５】
電磁加振器に設けられる連結棒接続部は、例えば、一端面または周面が電磁加振器の振動板表面側に固定されかつ連結棒の他端部が嵌め入れられる金属製筒体によって構成することができる。
【００２６】
上記のような金属製筒体で連結棒接続部を構成すれば、その製造が容易であり、コストも抑えられる。また、振動板表面側への金属製筒体の取付の向きが異なる数種類の電磁加振器を用意しておけば、適宜の電磁加振器を使用することにより、振動伝達ユニットに対して所望の向きに振動を加えることができ、使い勝手が良い。
【００２７】
また、本発明によるモグラ撃退装置において、電磁加振器に、地面に突き立てられる杭の上端部が取り付けられている場合がある。
【００２８】
上記のような杭が電磁加振器に取り付けられていれば、杭の地上部または連結棒との接続に適した高さ位置に電磁加振器を設置し易く、設置作業が容易となる。
なお、この場合、動電型振動発生装置のその他の構成要素（太陽光発電装置を除く）については、例えば、地上または地中の適宜箇所に設置されたボックス内に収容しておくことができる。
【発明を実施するための最良の形態】
【００２９】
次に、図面を参照しながら、本発明の実施形態を説明する。なお、この実施形態に関する以下の説明において、「前」とは図１の上をいい、「後」とは図１の下をいい、また、「左右」は図１の左右をいうものとする。
【００３０】
この実施形態のモグラ撃退装置（１）は、野菜等の苗（Ｐ）が植えられた左右並列状の複数の畝（Ｆ）を有する畑に設置したものであって、１つの振動発生ユニット（２）と、前後左右に間隔をおいて地面に突き立てられる複数本の鉄製杭（３１Ａ）（３１Ｂ）および全ての杭（３１Ａ）（３１Ｂ）が１つに繋がるように杭（３１Ａ）（３１Ｂ）の地上部どうしを連結する複数本の鉄製連結棒（３２）を有する振動伝達ユニット（３）とを備えている。振動発生ユニット（２）は、振動伝達ユニット（３）の後部に位置する杭（３１Ｂ）の地上部に、加振可能に接続されている。
【００３１】
図１〜図３に示すように、杭（３１Ａ）（３１Ｂ）は、１つ置きの畝（Ｆ）において、前後に等間隔おきに３本ずつ、苗（Ｐ）の根本付近に斜めに突き立てられている。なお、全ての畝（Ｆ）に沿うように杭（３１Ａ）（３１Ｂ）を地面に突き立てることも勿論可能である。
【００３２】
杭は、２種類の杭によって構成されている。１つは、図４（ａ）に示したものであって、連結棒（３２）を前後方向に接続しうる第１の連結棒接続部（３１１）を有する第１の杭（３１Ａ）である。もう１つは、連結棒（３２）を前後方向に接続しうる第１の連結棒接続部（３１１）を有するとともに連結棒（３２）を左右方向に接続しうる第２の連結棒接続部（３１２）を有する第２の杭（３１Ｂ）である。
各杭（３１Ａ）（３１Ｂ）は、鉄製の中空棒よりなり、その先端部は先細状に加工されている。
第１の連結棒接続部（３１１）は、杭（３１Ａ）（３１Ｂ）の上端部に前後方向に延びるようにＴ字状に固定され、かつ、連結棒（３２）が嵌め入れられる鉄製筒体よりなる。なお、筒体は、杭（３１Ａ）（３１Ｂ）が地面に斜めに突き立てられるように、左右方向に傾斜した状態の杭（３１Ａ）（３１Ｂ）の上端部に溶接固定されている。
第２の連結棒接続部（３１２）は、第１の連結棒接続部（３１１）を介して杭（３１Ａ）（３１Ｂ）の上端部に左右方向に延びるようにＴ字状に固定され、かつ、連結棒（３２）が嵌め入れられる鉄製筒体よりなる。
各連結棒接続部（３１１）（３１２）には、その前後両側または左右両側の周壁部分の下部に、ネジ孔（３１３）が２つずつあけられており、これらのネジ孔（３１３）にねじ込まれた止めネジ（３１４）によって、連結棒接続部（３１１）（３１２）に嵌め入れられた連結棒（３２）の端部等が固定されるようになっている。
【００３３】
図１に示すように、畝（Ｆ）の前端部に位置する杭が第１の杭（３１Ａ）によって構成され、畝（Ｆ）の長さ中間部および後端部に位置する杭が第２の杭（３１Ｂ）によって構成されている。そして、前後に隣り合う杭（３１Ａ）（３１Ｂ）の上端部どうしが連結棒（３２）によって連結されているとともに、左右に隣り合う第２の杭（３１Ｂ）の上端部どうしが連結棒（３２）によって連結されている。
なお、畝（Ｆ）の前端部に位置する杭も第２の杭（３１Ｂ）によって構成し、これらの左右に隣り合うものどうしを連結棒（３２）で連結することも可能である。
【００３４】
図５に示すように、振動発生ユニット（２）は、電磁加振器（２１）、電力増幅器（２２）、発振器（２３）、タイマー機能付き周波数可変式コントローラ（２４）および電源（２５）を備えた動電型振動発生装置よりなる。
動電型振動発生装置（２）の各構成要素としては、既に周知慣用されている公知の装置を利用することができるので、それぞれの詳しい説明は省略するが、本実施形態の場合、タイマー機能付き周波数可変式コントローラ（２４）を使用することが特徴点として挙げられる。即ち、上記コントローラ（２４）によれば、断続的に信号を出したり止めたりすることができるので、それによって省電力化を図ることができる。また、モグラ撃退装置への適用を考慮した場合、一定の周波数の振動が続くと、モグラがそれに慣れてしまい、モグラ忌避効果が減退するおそれがあるが、上記コントローラ（２４）の場合、発振器（２３）から出る信号電流の周波数を一週間程度の間隔で大幅に変更するように設定することが可能であり、それによってモグラ忌避効果を長期間持続させることができる。
動電型振動発生装置（２）は、電源（２５）として、太陽光発電装置（２５１）と、太陽光発電装置（２５１）によって得られた電気エネルギーを蓄える蓄電器（２５２）とを備えている。なお、蓄電器（２５２）は、太陽光発電装置（２５１）による発電が不十分な場合等に備えて、商用電源から充電器（２６）を介して電気エネルギーを蓄えることもできる。
動電型振動発生装置（２）のうち太陽光発電装置（２５１）は、通常、受光に適した場所に独立して設置される。また、電磁加振器（２１）は、後述するように、振動伝達ユニット（３）に近接して設置される。その他の装置構成要素、即ち、電力増幅器（２２）、発振器（２３）、タイマー機能付き周波数可変式コントローラ（２４）および蓄電器（２５２）は、地上または地中の適宜箇所に設置されたボックス（Ｂ）にまとめて収容される（図１参照）。
【００３５】
図１、図５および図６に示すように、電磁加振器（２１）は、その振動板（２１１）表面側に、前端部が杭（３１Ｂ）の地上部に接続された鉄製連結棒（３２Ｘ）の後端部を接続しうる連結棒接続部（２１２Ａ）（２１２Ｂ）を備えている。
連結棒接続部は、図６（ａ）および図７Ａに示すように、後端面が電磁加振器（２１）の振動板（２１１）表面側に固定されかつ連結棒（３２Ｘ）の後端部が嵌め入れられる水平な鉄製筒体（２１２Ａ）よりなる場合の他、図６（ｂ）および図７Ｂに示すように、周面の後部が電磁加振器（２１）の振動板（２１１）表面側に固定されかつ連結棒（３２Ｘ）の後端部が嵌め入れられる水平な鉄製筒体（２１２Ｂ）よりなる場合がある。連結棒接続部（２１２Ａ）（２１２Ｂ）をいずれの態様にするかは、振動伝達ユニット（２）の杭（３１Ａ）（３１Ｂ）の配置等を考慮し、振動伝達ユニット（２）に対して前後、左右いずれの向きに振動を加える方が効果的かと言う点等に基づいて適宜選択すればよい。
また、図５および図６に示すように、電磁加振器（２１）の背面には、地面に突き立てられる杭（２１３）の上端部が取り付けられている。杭（２１３）の材料は特に限定されないが、通常、鉄等の金属が用いられる。
そして、杭（２１３）が地面にほぼ垂直に突き立てられた状態の電磁加振器（２１）が連結棒（３２Ｘ）によって杭（３１Ｂ）の地上部に連結されている。より詳細には、連結棒（３２Ｘ）の前端部が振動伝達ユニット（２）の後部に位置する第２の杭（３１Ｂ）における第２の連結棒接続部（３１２）に挿入固定され、連結棒（３２Ｘ）の後端部が電磁加振器（２１）の連結棒接続部（２１２Ａ）（２１２Ｂ）に挿入固定されており、これにより、電磁加振器（２１）が、第２の杭（３１Ｂ）、ひいては振動伝達ユニット（２）に加振可能に接続されている。
なお、電磁加振器（２１）の設置箇所は、特に限定されないが、比較的騒音の多い箇所に設置する方がモグラ忌避効果の面では好ましい。
【００３６】
電磁加振器（２１）は、図７Ａおよび図７Ｂに詳しく示すように、前方または右方に開口した有底筒状のヨーク（２１４）と、ヨーク（２１４）内の底面に装着されたリング状磁石（２１５）と、磁石（２１５）に接合されかつ中心部にヨーク（２１４）の開口に向かって突出した軸部（２１６ａ）を有するポールピース（２１６）と、ポールピースの軸部（２１６ａ）に巻かれたコイル（２１７）と、ヨーク（２１４）の開口を覆うようにヨーク（２１４）の開口縁部に取り付けられた振動板（ダイアフラム）（２１１）と、振動板（２１１）の裏面側にポールピースの軸部（２１６ａ）先端面と対向するように接合されたアマチュア（２１８）とを備えている。図示は省略したが、コイル（２１７）は、配線によって電力増幅器（２２）に接続されている。
図７Ａに示す電磁加振器（２１）では、振動板（２１１）の表面側中心部に、鉄製筒体（２１２Ａ）の一端面が接合されている。一方、図７Ｂに示す電磁加振器（２１１）では、振動板（２１１）の表面側における水平な直径上の部分に、連結板（２１９）を介して、鉄製筒体（２１２Ｂ）の周面の一側部が接合されている。
筒体（２１２Ａ）（２１２Ｂ）には、その周壁上部に２つのネジ孔（２１２１）があけられており、これらのネジ孔（２１２１）にねじ込んだ止めネジ（２１２２）によって、筒体（２１２Ａ）（２１２Ｂ）に挿入された連結棒（３２Ｘ）の端部が固定されるようになっている。
【００３７】
上述した本実施形態のモグラ撃退装置（１）にあっては、動電型振動発生装置（２）を駆動させると、コントローラ（２４）によって予め設定された周波数の信号電流が発振器（２３）から出力され、この信号電流が、電力増幅器（２２）において増幅された後、電磁加振器（２１）のコイル（２１７）に通じると、信号電流の向きおよび大きさに応じた力がコイル（２１７）に作用し、この力によって振動板（２１１）が振動する。
振動板（２１１）の振動は、連結棒（３２Ｘ）を介してこれに接続された第２の杭（３１Ｂ）に伝わり、さらに、ここから振動伝達ユニット（２）全体に伝播し、各杭（３１Ａ）（３１Ｂ）の先端部を通じて地中に振動が伝わる。
従って、上記のモグラ撃退装置（１）によれば、単一の動電型振動発生装置（２）を使っているにもかかわらず、畑の広範囲に亘って地中に振動を確実に伝達することができ、それによって極めて高いモグラ忌避効果が得られる。
また、この実施形態のモグラ撃退装置（１）では、動電型振動発生装置（２）の電源として太陽光発電装置（２５１）を使用しているので、電池交換等のメンテナンスが不要であり、比較的低コストで長期間安定して使用することができる。
加えて、上記のモグラ撃退装置（１）では、動電型振動発生装置（２）にタイマー機能付き周波数可変式コントローラ（２４）が組み込まれているので、省電力化を図ることができる上、発振器（２３）から出る信号電流の周波数を定期的に変更することによって、モグラ忌避効果を長期間持続させることができる。
【００３８】
なお、上記の実施形態はあくまでも例示にすぎず、特許請求の範囲に記載された本発明の要旨を変更しない範囲で適宜に変更を加えた上で、本発明を実施することも勿論可能である。
【図面の簡単な説明】
【００３９】
【図１】本発明の実施形態に係るモグラ撃退装置の概略を示す平面図である。
【図２】本発明の実施形態に係るモグラ撃退装置の概略を示す垂直断面図である。
【図３】モグラ撃退装置の振動伝達ユニットの一部を拡大して示す垂直断面図である。
【図４】振動伝達ユニットの２種類の杭を示す斜視図である。
【図５】モグラ撃退装置の振動発生ユニットの概略を示す垂直断面図である。
【図６】モグラ撃退装置における振動発生ユニットと振動伝達ユニットとの２種類の接続態様を示す斜視図である。
【図７Ａ】振動発生ユニットの電磁加振器を拡大して示す垂直断面図である。
【図７Ｂ】振動発生ユニットの電磁加振器の他の実施態様を拡大して示す垂直断面図である。
【符号の説明】
【００４０】
（１）：モグラ撃退装置
（２）：動電型振動発生装置（振動発生ユニット）
（２１）：電磁加振器
（２１１）：振動板
（２１２Ａ）（２１２Ｂ）：連結棒接続部
（２１３）：杭
（２２）：電力増幅器
（２３）：発振器
（２４）：タイマー機能付き周波数可変式コントローラ
（２５）：電源
（２５１）：太陽光発電装置
（２５２）：蓄電器
（３）：振動伝達ユニット
（３１Ａ）：第１の杭
（３１Ｂ）：第２の杭
（３１１）：第１の連結棒接続部
（３１２）：第２の連結棒接続部
（３２）（３２Ｘ）：連結棒
【図１】
2011172487.tif 000003
【図２】
2011172487.tif 000004
【図３】
2011172487.tif 000005
【図４】
2011172487.tif 000006
【図５】
2011172487.tif 000007
【図６】
2011172487.tif 000008
【図７Ａ】
2011172487.tif 000009
【図７Ｂ】
2011172487.tif 000010